(57)【特許請求の範囲】
【請求項１】
操作スイッチの操作体の両側面に前記操作体の操作方向に沿って立設される2つの保持部であって第１の貫通孔が形成された第１の保持部と第２の貫通孔が形成された第２の保持部とを有する保持部材と、
前記２つの保持部の配置方向に沿って第１の貫通部、中間部及び第２の貫通部をこの順に有するカバー部材と、を備え、
前記第１の貫通部には折曲部を介して係止片が連続し、
前記第２の貫通部は施錠部材が貫通する取付孔を有し、
前記２つの保持部の配置方向における前記折曲部と前記取付孔との間の長さは、前記２つの保持部の間隔よりも長くされており、
前記係止片、前記折曲部及び前記第１の貫通部は、前記操作体の前面側における前記第１の保持部と前記第２の保持部との間から前記第１の貫通孔をこの順に貫通し、
前記第２の貫通部は、前記操作体の前面側における前記第１の保持部と前記第２の保持部との間から前記第２の貫通孔を貫通し、
前記中間部は、前記第１の貫通部及び前記第２の貫通部がそれぞれ前記第１の貫通孔及び前記第２の貫通孔を貫通している状態で、前記操作体の前面側に位置する、ロックカバー。
【請求項２】
前記保持部材と前記カバー部材とを連結する連結部材を備える請求項１に記載のロックカバー。
【請求項３】
前記カバー部材の前記中間部、前記第１の貫通部及び前記第２の貫通部の断面形状は、前記第１の貫通孔及び前記第２の貫通孔を通過する形状である請求項１に記載のロックカバー。
【請求項４】
前記カバー部材の第１の貫通部から前記折曲部を経由して前記係止片に至る間に長孔を形成し、一端が前記長孔内に摺動自在に係合し他端が前記保持部材に取り付けられた連結部材を備える請求項３に記載のロックカバー。
【請求項５】
前記第１の保持部及び前記第２の保持部は、それぞれ前記第１の貫通孔及び前記第２の貫通孔を前記操作体の操作方向に沿って複数ずつ有する請求項１乃至４の何れかに記載のロックカバー。
【請求項６】
前記カバー部材が板状体であり、前記取付孔を前記第２の保持部に沿う長孔状に形成した請求項１乃至５の何れかに記載のロックカバー。
【発明の詳細な説明】
【技術分野】
【０００１】
この発明は、停止スイッチ等のスイッチの操作を選択的に規制するロックカバーに関する。
【背景技術】
【０００２】
産業用機械の制御盤等の取付パネルに配置される操作スイッチや鍵スイッチ等の操作スイッチには、停止スイッチのように、操作部の操作を選択的に規制すべきものがある。
【０００３】
このため、従来のロックカバーとして、操作スイッチの操作部の前面側にピン状や箱状のカバーを着脱自在に備えたものがある。カバーは、操作部の前面側に装着した状態で南京錠の腕部等の施錠部材によって施錠可能にされている。
【０００４】
ピン状のロックカバーは、操作スイッチの操作部の両側方に配置された保持部の貫通孔に取付パネルのパネル面に沿ってピンを横方向から抜き差しされる。ピンには、保持部の外側で南京錠が貫通する孔部が形成されている。
【０００５】
箱状のロックカバーは、本体と蓋体とからなり、操作スイッチの操作部を包囲するように配置される。蓋体は、一端側を支点にして本体に軸支されており、操作部の前面を開閉可能にされている。蓋体の他端側の孔部と本体の孔部との間に南京錠を貫通させる。
【０００６】
南京錠の鍵を保持している管理者のみが、南京錠を開錠してピン又は蓋体を操作部の前面から取り除くことができ、操作部を操作できる。
【０００７】
また、従来の操作スイッチには、操作部に南京錠を直接装着するようにしたものもある（特許文献１〜３参照。）。南京錠は、幅方向を取付パネルのパネル面に平行にして操作部に装着される。
【先行技術文献】
【特許文献】
【０００８】
【特許文献１】特開２００６−０４９１７６号公報
【特許文献２】特開２００７−０６６６８１号公報
【特許文献３】特開２００７−２０７６００号公報
【発明の概要】
【発明が解決しようとする課題】
【０００９】
ピン状のロックカバーを使用する場合、操作スイッチの周囲にピンを保持部の貫通孔に挿脱するためのスペースが必要になる。箱状のロックカバーを使用する場合、操作スイッチの周囲に操作部を開放した状態の蓋体を位置させるためのスペースが必要になる。このため、従来のロックカバーを使用する場合には、取付パネルに複数の操作スイッチを近接して配置することができない。
【００１０】
また、操作部に南京錠を直接取り付けるためには専用の部品が必要になり、既存の操作スイッチを停止スイッチ等として用いることができないだけでなく、幅方向を取付パネルのパネル面に平行にして南京錠を配置するためのスペースが操作スイッチの周囲に必要になる。このため、操作部に南京錠を直接取り付ける操作スイッチは、周囲に他の操作スイッチを近接して配置することができない。
【００１１】
この発明の目的は、操作スイッチの周囲に必要となるスペースを小さくすることで、複数の操作スイッチを近接して配置できるロックカバーを提供することにある。
【課題を解決するための手段】
【００１２】
この発明に係るロックカバーは、保持部材とカバー部材とを備えている。保持部材は、操作スイッチの操作体の両側面に操作体の操作方向に沿って立設される2つの保持部であって第１の貫通孔が形成された第１の保持部と第２の貫通孔が形成された第２の保持部とを有している。カバー部材は、２つの保持部の配置方向に沿って第１の貫通部、中間部及び第２の貫通部をこの順に有する。第１の貫通部には折曲部を介して係止片が連続し、第２の貫通部は施錠部材が貫通する取付孔を有している。２つの保持部の配置方向における折曲部と取付孔との間の長さは、２つの保持部の間隔よりも長くされている。係止片、折曲部及び第１の貫通部は、操作体の前面側における第１の保持部と第２の保持部との間から第１の貫通孔をこの順に貫通する。第２の貫通部は、操作体の前面側における第１の保持部と第２の保持部との間から第２の貫通孔を貫通する。中間部は、第１及び第２の貫通部がそれぞれ第１及び第２の貫通孔を貫通している状態で、操作体の前面側に位置する。
【００１３】
操作体の前面側における第１の保持部と第２の保持部との間から、係止片、折曲部及び第１の貫通部を第１の貫通孔にこの順に貫通させた後、第２の貫通部を第２の貫通孔に貫通させると、操作体の前面に位置する中間部によって操作体の操作が規制される。この状態では、係止片及び取付孔がそれぞれ第１及び第２の保持部の外側に位置し、取付孔に施錠部材を貫通させると、保持部材からカバー部材が取れなくなり、中間部による操作体の操作の規制が維持される。
【００１４】
この構成において、保持部材とカバー部材とを連結する連結部材を備えることが好ましい。保持部材から抜き取ったカバー部材の紛失を防止できる。
【００１５】
また、カバー部材の中間部、第１の貫通部及び第２の貫通部の断面形状は、第１の貫通孔及び第２の貫通孔を通過する形状であることが好ましい。操作スイッチの一方の側方に十分なスペースがある場合に、第１の保持部の外側から第２の貫通部、中間部、第１の貫通部を第１の貫通孔にこの順に貫通させて保持部材にカバー部材を装着することができる。
【００１６】
この構成において、保持部材の第１の貫通部から折曲部を経由して係止片に至る間に長孔を形成し、一端が長孔内に摺動自在に係合し他端が保持部材に取り付けられた連結部材を備えることが好ましい。
【００１７】
第１及び第２の保持部は、それぞれ第１及び第２の貫通孔を操作体の操作方向に沿って複数ずつ有するものとすることが好ましい。単一のロックカバーを複数種類の操作スイッチに使用することができる。
【００１８】
カバー部材が板状体である場合に、取付孔を第２の保持部に沿う長孔状に形成することが好ましい。操作スイッチの周囲に必要なスペースを大きくすることなく、取付孔に複数の施錠部材を貫通させることができる。
【発明の効果】
【００１９】
この発明によれば、操作スイッチの操作体の前面側における第１の保持部と第２の保持部との間でカバー部材を保持部材に着脱することができる。このため、操作スイッチの周囲に大きなスペースを設ける必要がなく、複数の操作スイッチを近接して配置することができる。
【図面の簡単な説明】
【００２０】
【図１】この発明の実施形態に係るロックカバーを備えた操作スイッチの組立図である。
【図２】同操作スイッチの平面図である。
【図３】（Ａ）〜（Ｄ）は、同ロックカバーの第１の使用方法を示す平面図である。
【図４】（Ａ）及び（Ｂ）は、同ロックカバーの第２の使用方法を示す平面図である。
【図５】同操作スイッチの使用状態を示す図である。
【図６】（Ａ）及び（Ｂ）は、この発明の別の実施形態に係るロックカバーの使用状態を示す図である。
【発明を実施するための形態】
【００２１】
以下に、この発明の実施形態に係るロックカバーについて、図面を参照しつつ説明する。
【００２２】
図１及び図２に示すように、この発明の実施形態に係るロックカバー１0は、一例として操作スイッチ１００に使用される。操作スイッチ１００は、操作部１１０、スイッチ部１２０、ワッシャ１３０及び固定リング１４０を備えている。操作部１１０は、軸部１１１を取付パネル２００の取付孔２０１に前面側から貫通させる。固定リング１４０は、取付パネル２００の背面側で軸部１１１に螺合する。操作部１１０は、固定リング１４０とフランジ部１１２との間にワッシャ１３０及び取付パネル２００を挟んで取付パネル２００に固定される。スイッチ部１２０は、取付パネル２００の背面側で軸部１１１に嵌着する。操作部１１０の前面に露出した操作ボタン１１３（この発明の操作体に相当する。）の操作がスイッチ部１２０に収納された図示しないスイッチに伝達される。
【００２３】
なお、ロックカバー１０が使用される操作スイッチは、操作スイッチ１００に限るものではなく、例えば鍵スイッチであってもよい。
【００２４】
ロックカバー１０は、保持部材１、カバー部材２、チェーン３及びワッシャ４を備えている。保持部材１は、一例として金属平板を素材としてプレス加工によって箱状に形成されており、取付面１１、支持面１２，１３、保持部１４，１５からなる。取付面１１は、軸部１１１が貫通する孔部１８を有し、フランジ部１１２とワッシャ１３０との間にワッシャ４を介して挟持される。支持面１２，１３は、取付面１１の上下に位置し、保持部材１の強度を確保する。保持部１４，１５は、それぞれこの発明の第１及び第２の保持部であり、取付面１１の左右両側方に位置する。保持部１４，１５は、それぞれ第１及び第２の貫通孔１６，１７を有する。保持部１４の下端部には、丸孔１９が形成されている。
【００２５】
カバー部材２は、一例として金属平板を素材としてプレス加工によって形成されている。カバー部材２は、平面視において、一様の断面形状を呈し、一端側から他端側に向かって係止片２１、折曲部２２、第１の貫通部２３、中間部２４及び第２の貫通部２５をこの順に備えている。係止片２１は、折曲部２２を介して第１の貫通部２３に連続している。第１の貫通部２３から中間部２４を経由して第２の貫通部２５に至る間は、平面視において直線状に形成されている。係止片２１から折曲部２２を経由して第１の貫通部２３には、長孔２６が形成されている。第２の貫通部２５には、上下方向の長孔状を呈する取付孔２７が形成されている。取付孔２７には、施錠部材としての南京錠３００の腕部３１０が貫通する。施錠部材は、チェーン錠やハスプであってもよい。
【００２６】
チェーン３は、この発明の連結部材に相当する。チェーン３の一端は、留め輪３１を介して長孔２６内に摺動自在に係合している。チェーン３の他端は、留め輪３２を介して丸孔１９に係合している。チェーン３は、保持部材１に対するカバー部材２の分離を禁止し、カバー部材２の紛失を防止する。カバー部材２の紛失を別の方法で防止できる場合には、チェーン３を省略してもよい。
【００２７】
なお、取付孔２７は、長孔状である必要はなく、少なくとも１つの南京錠３００の腕部３１０が貫通するものであればよい。但し、取付孔２７を長孔状に形成することで、複数の南京錠３００の腕部３１０を取付孔２７に貫通させることができる。南京錠３００の腕部３１０は、取付孔２７を前後方向に貫通する。このため、南京錠３００の幅方向が取付パネル２００の法線方向に平行になり、幅に比較して十分に短い厚み方向が取付パネル２００のパネル面に平行になる。このため、南京錠を配置するための大きなスペースを操作スイッチ１００の周囲に設ける必要がない。
【００２８】
カバー部材２の縦断面形状は、貫通孔１６，１７の形状に略等しくされている。また、平面視において、カバー部材２の折曲部２２から取付孔２７までの長さは、保持部材１の２つの保持部１４，１５の間隔よりも長くされている。
【００２９】
カバー部材２を保持部材１に装着する場合には、図３（Ａ）及び（Ｂ）に示すように、保持部１４と保持部１５との間で、係止片２１、折曲部２２及び第１の貫通部２３をこの順に、貫通孔１６に保持部材１の内側から外側に向けて貫通させる。このとき、チェーン３の留め輪３１を長孔２６内における第１の貫通部２３側に位置させておき、係止片２１を保持部１４に略直交させる。係止片２１が貫通孔１６を通過した後、中間部２４が操作ボタン１１３の前面に近づくようにカバー部材２を回転させて円弧状の折曲部２２を貫通孔１６に貫通させる。
【００３０】
次いで、図３（Ｃ）に示すように、カバー部材２の回転を継続しつつ第１の貫通部２３を保持部１４の内側から外側に向けて貫通孔１６に貫通させる。この後、図３（Ｄ）に示すように、保持部１４と保持部１５との間で、第２の貫通部２５を貫通孔１７に保持部材１の内側から外側に向けて保持部１４，１５に直交する方向に貫通させる。
【００３１】
図３（Ｄ）に示す状態では、中間部２４が操作ボタン１１３の前面を押圧する。このとき、保持部１４の外側に位置する係止片２１は、平面視において第１の貫通部２３、中間部２４及び第２の貫通部２５に対して折曲部２２で所定の角度で傾斜しているため、貫通孔１６を保持部１４の内側に向かって貫通することができない。このため、カバー部材２は、保持部１５側に移動できない。この状態で、保持部１５の外側に位置する取付孔２７に南京錠３００の腕部３１０を貫通させると、カバー部材２は保持部１５側から保持部１４側へも移動できなくなり、中間部２４による操作ボタン１１３の押圧状態が維持される。なお、カバー部材２は、操作ボタン１１３の押圧操作を禁止して非押圧状態を維持するものであってもよい。
【００３２】
図３（Ａ）〜（Ｄ）に示すカバー部材２の保持部材１に対する装着方法では、取付パネル２００のパネル面に沿う方向について、カバー部材２が保持部１４，１５のそれぞれの外側に大きく露出することがない。このため、操作スイッチ１００の周囲に大きなスペースを必要とせず、図５に示すように、複数の操作スイッチ１００を近接させて操作パネル２００に取り付けることができる。
【００３３】
なお、カバー部材２は、必ずしも平面視において第１の貫通部２３、中間部２４及び第２の貫通部２５を直線状に形成する必要はなく、第１の貫通部２３が図３（Ｂ）から図３（Ｃ）までの間のカバー部材２の移動量よりも長く、第２の貫通部２５が図３（Ｃ）から図３（Ｄ）までの間のカバー部材２の移動量よりも長いことを条件に、中間部２５の平面形状は任意の形状とすることができる。この場合に、保持部材１において保持部１４，１５のそれぞれにおける貫通孔１６及び貫通孔１７の取付パネル２００からの距離は、必ずしも同一である必要はない。また、この場合には、カバー部材２におけるチェーン３の係止孔は、第１の貫通部２３又は中間部２４のみに形成すればよい。中間部２４にチェーン３の係止孔を形成することで、図３（Ａ）〜（Ｄ）の操作を円滑に行うことができる。
【００３４】
但し、平面視において第１の貫通部２３、中間部２４及び第２の貫通部２５を直線状に形成し、カバー部材２におけるチェーン３の係止孔を係止片２１から折曲部２２を経由して第１の貫通部２３に至る長孔２６とすると、保持部材１にカバー部材２を別の方法で装着できる。つまり、保持部１４の外側に十分なスペースがある場合には、図４（Ａ）に示すように、第２の貫通部２５、中間部２４、第１の貫通部２３をこの順に貫通孔１６に保持部１４の外側から保持部１５に向けて貫通させる。このときチェーン３の留め輪３１を長孔２６内の係止片２１側に位置させておく。この後、図４（Ｂ）に示すように、操作ボタン１１３を押し込んだ状態で、第２の貫通部２５を操作ボタン１１３の前面を経由して貫通孔１７に貫通させる。保持部１４の外側に十分なスペースがあるか否かに応じて、カバー部材２を２種類の装着方法の何れかで選択的に保持部材１に装着することができる。
【００３５】
図６（Ａ）及び（Ｂ）に示すように、保持部１４，１５のそれぞれに、貫通孔１６Ａ，１６Ｂ及び貫通孔１７Ａ，１７Ｂを取付パネル２００の法線方向に沿ってそれぞれ複数ずつ（図６に示す例では２つずつ）形成することができる。これによって、同一のロックカバー１０を種々の操作スイッチに使用することができ、操作スイッチ１００が操作ボタン１１３の形状が異なる操作スイッチに交換された後にも、同一のロックカバー１０を使用することができる。
【００３６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【００３７】
例えば、上記の実施形態では、カバー部材２を平板状の金属材料を素材として形成したが、柱状の金属材料を用いることもできる。また、この発明の連結部材は、チェーン３に限るものではない。
【符号の説明】
【００３８】
１−保持部材
２−カバー部材
３−チェーン（連結部材）
１０−ロックカバー
１４，１５−保持部
１６，１７−貫通孔
２１−係止片
２２−折曲部
２３−第１の貫通部
２４−中間部
２５−第２の貫通部
２６−長孔
２７−取付孔
１００−操作スイッチ
１１３−操作ボタン（操作部）
２００−取付パネル
３００−南京錠（施錠部材）
３１０−腕部
【図１】
0005476113.tif 000002
【図２】
0005476113.tif 000003
【図３】
0005476113.tif 000004
【図４】
0005476113.tif 000005
【図５】
0005476113.tif 000006
【図６】
0005476113.tif 000007